(57)【要約】【課題】全頭カツラのカツラベースにおいて、特にネープ領域におけるフィット感を向上させるとともに、浮き上がりや、ずり上がりを有効に防止する。【解決手段】本発明のカツラベースは、着用者の左右の耳裏側位置を結ぶラインＡから所定幅をもって延在する第１伸縮性ネット領域１０と、第１伸縮性ネット領域１０の下方両側に連設された２つの非伸縮性ネット領域３１、３５と、当該２つの非伸縮性ネット領域の間に位置する第２伸縮性ネット領域２０とを備える。着用者の「盆の窪」から「うなじ」にかけての部位は、主として第１伸縮性ネット領域１０で覆われる。第１伸縮性ネット領域の下方両側に連設された２つの非伸縮性ネット領域３１、３５は、自身は伸縮することなく、着用者の「うなじ」近傍に位置する。２つの非伸縮性ネット領域の間に存在する第２伸縮性ネット領域２０によって、カツラベースの歪みを有効に逃がすことができ、フィット感が高まる。【選択図】図２
2014141753.tif 000002
【特許請求の範囲】
【請求項１】
頭部に被せて着用する全頭カツラにおけるカツラベースであって、
着用者の左右の耳後方位置（Ｐ）を結ぶライン（Ａ）から所定幅をもって延在する第１伸縮性ネット領域（１０）と、
第１伸縮性ネット領域（１０）の下方両側に連設された２つの非伸縮性ネット領域（３１、３５）と、
当該２つの非伸縮性ネット領域（３１、３５）の間に位置する第２伸縮性ネット領域（２０）とを備えることを特徴とする、カツラベース。
【請求項２】
上記第１伸縮性ネット領域（１０）は、第２伸縮性ネット領域（２０）の上方位置において、補強ライン（Ｘ）によって左右２つのサブ領域（１０ａ、１０ｂ）に区画されていることを特徴とする、請求項１記載のカツラベース。
【請求項３】
上記２つの非伸縮性ネット領域（３１、３５）は、２つのネット素材を重ねて構成されており、両ネット素材の間に形状保持部材（４０）が収容されていることを特徴とする、請求項１または２記載のカツラベース。
【発明の詳細な説明】
【技術分野】
【０００１】
本発明は、帽子のように頭部に被って装着する全頭カツラのカツラベースに関する。
【背景技術】
【０００２】
頭部全体を覆う全頭カツラは、主として、頭部全体的に毛髪の脱毛が進行している場合や、抗がん剤投薬による脱毛を煩う場合に着用される。
全頭カツラは、そのカツラベースにクリップ等の止着具を備えるものではなく、帽子と同じように被って着用される。このような全頭カツラのカツラベースは、着用者の頭部形状にフィットしていることが当然に要求される。そのため、個々の着用者の頭部形状の型取りから始めるオーダーメイドで作製されることが一般的である。
【０００３】
しかしながら、部分カツラの場合とは異なり、頭部全体が大きく動いた場合に、カツラベースの左右の耳上部や、「盆の窪」から「うなじ」にかけての所謂ネープ部が、ズレたり、めくれ上がったりすることが起こり易い傾向にある。従来より、これらを防止して、全頭カツラの装着時におけるフィット感を向上させるための工夫が多数提案されている。
【０００４】
例えば、特許文献１（特開２００８−１６３４９７号）では、前頭部から頭頂部を覆う非伸縮性ネットと、左右の側頭部と、それらに挟まれた後頭部との合計４分割された領域を備えたカツラベースが提案されている。このカツラベースでは、左右の側頭部及び後頭部に伸縮性ネットが用いられている。
特許文献１では、動きの大きい左右の側頭部と後頭部に伸縮性ネットを使用しているので頭部の動きに伸縮性ネットが追随するが、頭部を動かした時に伸縮ネットの伸張していない部分がしわになり易く、その部分の外観低下が起こり易い。
【０００５】
また、特許文献２（特開２００７−３２１２９８号）では、「盆の窪」から「うなじ」にかけての所謂ネープ部の浮き上がり、ずり上がり防止を目的として、ネープ部の中央領域を弾性ネットで形成している。
特許文献２では、ネープ部の中央領域だけを弾性ネットで形成しているために、当該中央領域においては、浮き上がりや、ずり上がりは起こらない。しかし、他の領域において浮き上がりや、ずり上がりが起こると、フィット感が失われてしまう。
【先行技術文献】
【特許文献】
【０００６】
【特許文献１】特開２００８−１６３４９７号公報
【特許文献２】特開２００７−３２１２９８号公報
【発明の概要】
【発明が解決しようとする課題】
【０００７】
本発明は、上記現状に鑑みて創案されたものであり、その目的は、全頭カツラのカツラベースにおいて、特にネープ領域におけるフィット感を向上させるとともに、浮き上がりや、ずり上がりを有効に防止できる構造を提供することにある。
【課題を解決するための手段】
【０００８】
本発明により、以下の特徴を備えたカツラベースが提供される。
すなわち、頭部に被せて着用する全頭カツラにおけるカツラベースであって、当該カツラベースは、「着用者の左右の耳後方位置を結ぶラインから所定幅をもって延在する第１伸縮性ネット領域」と「第１伸縮性ネット領域の下方両側に連設された２つの非伸縮性ネット領域」と「当該２つの非伸縮性ネット領域の間に位置する第２伸縮性ネット領域」とを備える。
【０００９】
本発明において、「耳後方位置」とは、カツラベースの周縁のうち、着用者の耳に沿うラインよりも後方側の適宜の位置を意味している。
また、「第１伸縮性ネット領域」および「第２伸縮性ネット領域」は、ともに伸縮性のあるネット領域であって、その位置が異なるため「第１」および「第２」という用語をもって区別している。したがって、両者は単一の連続するネット素材で構成されていてもよく、あるいは、別々のネット素材が縫製、溶着等によって連設されていてもよい。
【発明の効果】
【００１０】
上記構成を備えた本発明のカツラベースによれば、着用者の「盆の窪」から「うなじ」にかけての部位は、主として第１伸縮性ネット領域で覆われる。したがって、頭部が大きく動く際、当該第１伸縮性ネット領域がそれに追従して伸縮する。そのとき、第１伸縮性ネット領域の下方両側に連設された２つの非伸縮性ネット領域は、それ自身は伸縮することなく、着用者の「うなじ」近傍に位置する。その場合に、当該２つの非伸縮性ネット領域の間に存在する第２伸縮性ネット領域によって、カツラベースの歪みを有効に逃がすことができ、その結果、カツラベース全体として高いフィット感を得ることができる。
このように、本発明によれば、上記従来のカツラベースよりもさらにフィット感が向上したカツラベースを提供することができる。
【図面の簡単な説明】
【００１１】
【図１】本発明の一実施形態に係るカツラベース１を説明する概略図。
【図２】図１に示すカツラベース１の後方斜視図、およびその一部を真後ろから示す部分拡大図。
【発明を実施するための形態】
【００１２】
本発明の実施形態を添付の図面を参照して以下に詳細に説明する。図１は、本発明の一実施形態に係るカツラベース１を説明する概略図である。カツラベース１は全体がネット素材で構成されていて、このカツラベース１に対して、人工または天然の毛髪５が植設されてカツラを構成し、これが使用者の頭部に着用される。
図１では、毛髪５を一部しか示していないが、カツラベース１の全体に渡って、適宜毛髪５が植設される。
【００１３】
≪基本的な構成≫
図２はカツラベース１の後方斜視図を示しており、同図中に部分的に拡大して示した領域（ラインＡよりも下側の領域）におけるカツラベース構造に本発明の特徴がある。ラインＡよりも上方側領域の構造は、本発明において特に限定されるものではないが、例えば非伸縮性のネット素材で構成される。
【００１４】
ラインＡは、カツラ着用時において左右の耳裏側に対応する適宜の位置Ｐを結ぶように延在するもので、縫製、溶着等によって当該ラインＡが構成される。カツラベース１は、全頭タイプであるため、着用者の耳の裏側に沿う湾曲した周縁を有する。位置Ｐは、そのようなカツラベース周縁のうち、着用者の耳に沿うラインよりも後方側の適宜の位置に設定する。
【００１５】
ラインＡによって連設された第１伸縮性ネット領域１０は、所定幅をもって下方へと延在する。第１伸縮性ネット領域１０は、着用者の「盆の窪」から「うなじ」にかけての領域付近を覆うものであって、実際の寸法は、着用者の頭部形状等を考慮して、適宜設定すべきものである。
一例として、その幅寸法（高さ寸法）は、２．５ｃｍ前後である。
【００１６】
第１伸縮性ネット領域１０の下方側には、その両サイドに２つの非伸縮性ネット領域３１、３５が連設されている。そして、これら２つの非伸縮性ネット領域３１、３５の間には、第２伸縮性ネット領域２０が配置されている。
【００１７】
以上に説明した「第１伸縮性ネット領域１０」、「第２伸縮性ネット領域２０」、「２つの非伸縮性ネット領域３１、３５」間の連設は、縫製、溶着等、適宜の方法を採用することができる。
【００１８】
また、各領域の材質については、「第１伸縮性ネット領域１０」および「第２伸縮性ネット領域２０」については、適度な伸縮性を有するものであれば適宜の材料を採用することができ、「２つの非伸縮性ネット領域３１、３５」については、実質的に伸縮しないものであれば適宜の材料を採用することができる。
各ネット領域は、図示を簡略化するために、実際の製品よりも目を粗く描いている。ただし、本発明において、目の粗さやネットの編み方等は、特定のものに限定されるものではない。
【００１９】
≪第１伸縮性ネット領域１０についての変形例≫
図示した例では、第１伸縮性ネット領域１０は、中央の補強ラインＸによって左右２つのサブ領域１０ａ、１０ｂに分割（区画）されている。別例として、第１伸縮性ネット領域１０の全体を単一の構成とすることも可能である。
しかし、実際に試作品を作った経験からすると、補強ラインＸによって分割した場合の方がフィット感が高かった。これは、分割することにより、左右２つのサブ領域１０ａ、１０ｂの独立性が高まるが故に、頭部の動きに対する追従性が良くなったからと推測できる。
【００２０】
補強ラインＸは、当該ラインＸに沿って伸縮性を低下させ、左右両側のサブ領域１０ａ、１０ｂの独立性を高めるものであり、具体的な例示としては、当該ラインＸに沿って縫製を行うことが考えられる。また、別例として、当該ラインＸに沿って溶着処理を行ってもよい。
【００２１】
なお、第１伸縮性ネット領域１０の全体を単一のネット素材で構成する場合には、さらに、第２伸縮性ネット領域２０も含めて単一のネット素材で構成してもよい。
【００２２】
≪非伸縮性ネット領域３１、３５に形状保持部材４０を収容する例≫
図示した実施形態においては、非伸縮性ネット領域３１、３５は、それぞれ、２つのネット素材を重ねて構成されている。そして、両ネット素材の間に形状保持部材４０が収容されている。
この形状保持部材４０は、適度な外力により変形可能であって、形状を一定に維持し得るプラスチック等、適宜の材料で構成される。形状保持部材４０を非伸縮性ネット領域３１、３５内に配置しておくことで、カツラベースの当該領域を着用者の襟足領域における湾曲形状に沿った形状に維持することができるので、さらにフィット感を向上させることができる。
【符号の説明】
【００２３】
１  カツラベース
５  毛髪
１０  第１伸縮性ネット領域
１０ａ、１０ｂ  サブ領域
２０  第２伸縮性ネット領域
３１、３５  非伸縮性ネット領域
４０  形状保持部材
【図１】
2014141753.tif 000003
【図２】
2014141753.tif 000004